Podtech/llm-jp-corpus-v4-ja_patent huggingface dataset:
(57)【要約】【課題】女性は洗濯したランジェリーを干す際に、人目が非常に気になるものである。対処法としてハンガーの周りを目隠しカバーで覆う方法がある。しかし、洗濯の度にカバーを着脱するのは面倒である。また、カバーを付けたまま内側にランジェリーを付け外しするのも作業しづらい。【解決手段】パラソル型ハンガー下部にフックを取付け、逆さ吊りできるようにする。ハンガー外周に目隠しカバーを取付ける。逆さ吊りの状態でもカバーが垂れ下がるようクリップ取合い部の構造を可動式にする。ハンガーを逆さ吊り（閉じた状態）にすると、カバー前面に洗濯バサミが現れる。ランジェリーを取付け、ハンガーを元に戻す（パラソルが開いた状態にする）と、ランジェリーの外周をカバーが覆い目隠しする。ランジェリーを取込む際は、再びハンガーを逆さ吊りにすると、目隠しカバー前面にランジェリーが現れ簡単に取外すことができる。【選択図】図１
2016140531.tif 000002
【特許請求の範囲】
【請求項１】
パラソル型ハンガー下部にフックを取付け、ハンガーを逆さ吊りにした状態でランジェリーの付け外しをする。
【発明の詳細な説明】
【技術分野】
【０００１】
本発明は、目隠しカバー付きランジェリーハンガーに関するものである。
【背景技術】
【０００２】
女性は、洗濯したランジェリーを干す際に人目が非常に気になる。
【０００３】
人目を遮る目隠しカバーが市販されているが、洗濯の度に着脱するのが面倒である。
【先行技術文献】
【特許文献】
【０００４】
【特許文献１】登録実用新案第３０７６６１３号
【発明の概要】
【発明が解決しようとする課題】
【０００５】
目隠しカバー付きランジェリーハンガーのカバー着脱手間を省く。
【課題を解決するための手段】
【０００６】
パラソル型ハンガー下部にフックを取付け、逆さ吊りできるようにする。
【０００７】
カバー着脱用クリップとハンガー取合部の構造を可動式にし、ハンガーを逆さ吊りにした状態でも目隠しカバーが垂れ下がるようにする。
【０００８】
目隠しカバーを付けたままハンガーを逆さ吊り（閉じた状態）にすると、カバー前面に洗濯バサミが現れる。ランジェリーを取付け、ハンガーを元に戻す（パラソルが開いた状態にする）と、ハンガー外周をカバーが覆い内側のランジェリーを目隠しする。
【発明の効果】
【０００９】
女性がランジェリーを干す際に、目隠しカバーにより視線を遮ることができる。洗濯の都度カバーを着脱する必要もなく、簡単にランジェリーの付け外しができる。ランジェリーを取外した後のハンガーはパラソルが閉じた状態であるため、そのまま省スペースで保管できる。
【図面の簡単な説明】
【００１０】
【図１】ハンガーを開きランジェリーを干す状態図
【図２】ハンガーの構造説明図
【図３】ハンガーを閉じランジェリーを付け外す状態図（ハンガー逆さ吊り状態図）
【発明を実施するための形態】
【００１１】
パラソル型ハンガー下部に逆さ吊り用のフックを取付ける。
【００１２】
ハンガーを開き外周に目隠しカバーを取付ける。カバーは着脱可能であるが、基本的に一度付けたら取外すことなくそのままの状態で使用する。また、カバーはファスナーにて開閉できるものとする。
【００１３】
目隠しカバーのファスナーを開きハンガーを逆さ吊り（パラソルが閉じた状態）にすると、カバー前面に洗濯バサミが現れる。この状態でランジェリーを取付ける。
【００１４】
ハンガーを元の状態に戻し吊り下げると、パラソルが開きハンガー外周を目隠しカバーで覆った状態になる。ランジェリーはカバーの内側に干され、外部からの視線にさらされない。風によりカバーが舞上がらないようファスナーを閉じる。
【００１５】
干したランジェリーを取込む際は、目隠しカバーのファスナーを開き、再びハンガーを逆さ吊り（パラソルが閉じた状態）にする。すると、カバー前面にランジェリーが現れ、簡単に取外すことができる。取外し後のハンガーは、閉じたまま省スペースで保管することができる。
【符号の説明】
【００１６】
１    フック
２    フック（逆さ吊り用）
３    目隠しカバー
４    ファスナー
５    目隠しカバー着脱用クリップ
６    洗濯バサミ
７    ランジェリー
【図１】
2016140531.tif 000003
【図２】
2016140531.tif 000004
【図３】
2016140531.tif 000005
(57)【要約】      （修正有）【課題】インナー型イヤホンの欠点である音漏れ、脱落、音源のロス等を軽減させるホルダー付シリコンチップを提供する。【解決手段】チップ１とホルダー２は一体構造になっている。ホルダー２の内部にリブ３を設けてスピーカーの音をチップ１の管へと導く。チップ１の形を弾丸形にしたことで、耳穴にフィットして脱落しにくくなる。【選択図】図１
2016140048.tif 000002
【特許請求の範囲】
【請求項１】
チップ１とホルダー２の組み合わせが、インナー型イヤホンの能力を引き出すので、本発明品の形状を真似してもらっては困る。また、チップ１とホルダー２が別々に作製され、のちに組み合わされているものであっても、本発明品を真似て作った物で、本発明品の特許権に触れることを請求します。
【発明の詳細な説明】
【技術分野】
【０００１】本発明は、インナー型イヤホンの欠点である音漏れ、脱落、音源のロス等を軽減させる為に作られたホルダー付シリコンチップである。
【背景技術】
【０００２】インナー型イヤホン用カバー及びチップの技術は、特許文献１、特許文献２の他、インターネットの特許検索にて「インナーイヤー」１９０件・「イヤーピース」２１７件のヒット数があったが本発明品に該当するものがない。
【先行技術文献】
【特許文献】
【０００３】
【特許文献１】特開２００７−１２９６７５
【特許文献２】特開２００９−２９０６６７
【発明の概要】
【発明が解決しようとする課題】
【０００４】上記、特許文献２にあっては、耳からイヤホンが外れにくいことを目的としている為、音漏れをおこしている。特許文献１にあっては、音漏れを防止しているものの（３段階に薄いヒレを付けた管）では、よい音が出ない。もう少し耳穴に圧力をかける必要がある。
【課題を解決するための手段】
【０００５】本発明品は、図１、図２の様になっている。ホルダー２とチップ１は一体となっている。チップの形を弾丸形にしたことで、特許文献１の物より耳穴にフィットして脱落しにくくなった。
【発明の効果】
【０００６】現在市販されているイヤホンの中では、最も安価であり、カナル型の上級のイヤホンに匹敵する音が出る。低音から高音までバランス良く聞くことが出来る。
【図面の簡単な説明】
【０００７】
【図１】本発明の正面図である。
【図２】本発明の断面図である。
【発明を実施するための形態】
【０００８】以下、本発明の実施の形態について説明する。
チップ１とホルダー２は一体構造になっている。また、ホルダー２の内部にリブ３を設けてスピーカーの音をチップ１の管へと導いている。
【符号の説明】
【０００９】１  チップ
２  ホルダー
３  リブ
【図１】
2016140048.tif 000003
【図２】
2016140048.tif 000004
(57)【要約】      （修正有）【課題】ハウリングの軽減を図るための補聴器の構成を提供する。【解決手段】ハウリングが発生し易い、イヤホンの周波数特性によって決定される、補聴器の最大増幅度周波数である２０００〜４０００Ｈｚを減衰するために、最大減衰周波数を３５００Ｈｚに設定した、ＴＴ（ｔｗｉｎＴ）１０又はＢＴ（ｂｒｉｄｇｅｄＴ）特性を持つＢＥＦを（帯域減衰フィルタ）４を用いる。特性を向上させるために、オペアンプ１１を使って正帰還をかけても良い。【選択図】図７
2016140049.tif 000002
【特許請求の範囲】
【請求項１】
ハウリング発生周波数付近の増幅度を低減させることを特徴とする補聴器の構成
【請求項２】
特定周波数範囲の増幅度を低減させるためＢＥＦ（帯域減衰フィルタ）を使用することを特徴とする第１項記載の補聴器の構成
【請求項３】
特定周波数範囲を２０００ｈｚから４０００ｈｚとする第１項第２項記載の補聴器の構成
【発明の詳細な説明】
【技術分野】
【０００１】この発明は従来難点とされていた補聴器のハウリングを軽減するための構成にかかる。
【背景技術】
【０００２】  補聴器が小型化されてハウリングが重大な難点として存在するにいたっているが、現在有効なハウリング防止策は存在していない。
【発明の開示】
【発明が解決しようとする課題】
【０００３】ハウリングを防止するためにハウリング信号を位相反転して付加し相殺する方式やハウリング発生時増幅度を低下させて防止する方式などが実施されているがいづれも重大な欠点を持っていて有効な策になっていない。
【課題を解決するための手段】
【０００４】ハウリング発生は一巡増幅度の最大周波数点でもっとも発生しやすい。
この最大増幅度を減衰させれば減衰させただけハウリング発生が低下する。
補聴器の最大増幅度周波数はほとんどイヤホンの周波数特性によって決定されて一般には２０００〜４０００Ｈｚ程度の周波数に存在する。
したがってハウリングはこの周波数範囲で発生する。【０００５】この発明はこの一巡増幅度の最大周波数点付近の増幅度をＢＥＦ（帯域減衰フィルタ）によって一定量減衰させるのが趣旨である。。
【発明の効果】
【０００６】この結果補聴器の周波数特性は平坦に近づき、ハウリングは減弱する
【発明を実施するための最良の形態】
【０００７】図によって説明する。
図１は従来の補聴器の回路構成である。
図１においてマイク１の信号はアンプ２で増幅されてイヤホン３に入り音として出力される。
図２はその補聴器の周波数特性である。
この図２では３５００Ｈｚに増幅度最大点があるがこれはイヤホン３の特性による。
この特性の補聴器は３５００Ｈｚでハウリングが発生する。
図３は本発明による補聴器の回路構成である。
図３においてマイク１、アンプ２、イヤホン３は従来構成と同一であるが間にＢＥＦ（帯域減衰フィルタ）５が挿入されている。
図４はこのＢＥＦの周波数特性であり図５、図６、図７が具体的回路構成の例である。
図４に示すようにこのＢＥＦは特定周波数を減衰させるフィルタであり、ここに用いるＢＥＦの最大減衰周波数は３５００Ｈｚに設定する。
この特性を持つＢＥＦはＴＴ（ｔｗｉｎＴ）  図５、またはＢＴ（ｂｒｉｄｇｅｄＴ）図６  の回路で構成可能である。さらに特性を向上させるためにオペアプン１１を使って正帰還をかけて使用することも可能でありこれを図７に示す。
このＢＥＦ５を用いた補聴器の周波数特性を図８に示す。３５００Ｈｚの最大増幅度が減弱している。
この結果この補聴器のハウリング発生は３５００Ｈｚで十分減弱させることが可能になる。その効果は大略増幅度減弱度に等しい。一般には１０ｄＢ程度の減弱効果が得られる。なおＴＴ回路、ＢＴ回路の詳細については公知ゆえ省略する。
【図面の簡単な説明】
【０００８】
【図１】従来の補聴器の構成
【図２】その周波数特性
【図３】本発明による補聴器の構成
【図４】ＢＥＦの周波数特性
【図５】ＴＴ回路
【図６】ＢＴ回路
【図７】正帰還を施したＴＴ回路
【図８】本発明による補聴器の周波数特性
【符号の説明】
【０００９】１    マイク
２    アンプ
３    イヤホン
４    帯域減衰フィルタ
５    入力
６    出力
１０  ＴＴ回路
１１  オペアンプ
【図１】
2016140049.tif 000003
【図２】
2016140049.tif 000004
【図３】
2016140049.tif 000005
【図４】
2016140049.tif 000006
【図５】
2016140049.tif 000007
【図６】
2016140049.tif 000008
【図７】
2016140049.tif 000009
【図８】
2016140049.tif 000010
(57)【要約】      （修正有）【課題】使用を終えた配管を廃棄処分する際、低価格であり、物理的に簡単な配管内部の洗浄方法を提供する。【解決手段】内部に汚れを蓄えた配管内部５に、圧縮空気を用いて籾殻２を高速で挿入し且つ通過させることで、籾殻２と汚れが衝突する作用が生ずる。籾殻２の物理的形状及び成分的作用から汚れを削り取る現象が生じるなどの配管内部の汚れを取る。【選択図】図１
2016140861.tif 000002
【特許請求の範囲】
【請求項１】
内部に汚れを持った配管内部に、コンプレッサー及び送風ブロアーを用いて籾殻を通過させることで、籾殻と汚れを衝突させ、汚れを削り取る方法。
【発明の詳細な説明】
【技術分野】
【０００１】本、発明は配管内部の汚れを籾殻の成分的性質を利用して取り除く方法である。
【背景技術】
【０００２】  長年利用した後の配管には内部に様々な汚れが付着しています。これらの配管を廃棄処分又は再利用する際、汚れを落とさなければなりません。本発明はこれらの汚れを取り去ることで再利用を可能にすると同時に資源の有効利用に貢献する方法である。
特許文献に付きましては、調べましたが本発明に関連した文献はありませんでした。
【発明の開示】
【発明が解決しようとする課題】
【０００３】  使用後の配管内部の汚れを取る方法は水洗いをするなどの方法があるが、水洗いでは取れない汚れも存在すると同時に物体が濡れてしまいます。したがって、乾燥するための時間とそれらに準ずる経費がかかることで、再利用が困難になる。
【課題を解決するための手段】
【０００４】  あらかじめ、内部に汚れを蓄えた配管内部に、圧縮空気を用いて籾殻を高速で挿入し且つ通過させることで、籾殻と汚れが衝突する作用が生ずる。籾殻の物理的形状及び成分的作用（ケイ酸）から汚れを削り取る現象が生じるなどの配管内部の汚れを取る作用。
上記は、使用を終えた廃棄物時の作用を示しているが本作用は使用中の配管でも汚れを取ることができる。しかし、この場合では配管内部をあらかじめ熱風などを用いて乾燥しておく必要がある。
【発明の効果】
【０００５】  使用を終えた配管を廃棄処分する際、汚れを取り除く必要が求められます。籾殻の性質を利用した本発明汚れ取り方法は物理的にも簡単な方法である。さらに、籾殻は低価格であり汚れを取る方法としての経費は少ない、などの汚れを取り除く方法。
【発明を実施するための最良の形態】
【０００６】  本、発明の汚れ取り方法は、配管内を高速で籾殻が通過することで生ずる作用を利用した汚れ取り方法である。したがって、籾殻が高速で配管内を通過することが基本作用になる。
図１、に示すように送風ブロアーを用いて籾殻を配管内通過を示しているが、コンプレッサーの圧縮空気を用いて配管内に籾殻を通過させる方法もある。
【実施例】
【０００７】  図１を用いて説明する。あらかじめホッパー１、に籾殻２、を蓄えた送風ブロアー３、４、を働かせることで籾殻２、は移動して、汚れを蓄えた配管５、内部に入り通過する。高速で入った籾殻２、が汚れと衝突することで汚れは削り取られて籾殻と一緒に配管５、外部に押し出される。押し出された籾殻２、は送風管６、を介して始まりの位置ホッパー１、内部に入ることで配管５、内部の汚れを取る。以上の作用を繰り返すことで配管５、内部を掃除する。
【産業上の利用可能性】
【０００８】  内部に汚れを蓄えた配管を廃棄処分する際、汚れを蓄えた配管の再利用は困難になります。リサイクル商品製造過程で液体化したとき不純物が生じることで困難が生じる。本、発明方法を用いることで今まで埋立処分していた塩化ビニール管などのリサイクル有効利用が可能になる。
【図面の簡単な説明】
【０００９】
【図１】  発明方法の説明図
【符号の説明】１、            ホッパー
２、            籾殻
３、            送風ブロアー（ケーシング）
４、            モーター
５、            汚れを蓄えた配管
６、            送風管
７、            連結管
【図１】
2016140861.tif 000003
(57)【要約】      （修正有）【課題】厚みを抑え、かつ軽い財布やクレジットカードケースを提供する。【解決手段】カードケースに収納される複数種類のカードに保持するように配置されるカード保持部材の下部を、切除してカードを部分的に押さえる形状で、しかも、それぞれ異なるカードに対応するカード保持部材重ねて配置してもカード保持部材が最大で２枚しか重ならないようにする。【選択図】図１
2016140631.tif 000002
【特許請求の範囲】
【請求項１】
クレジットカード、電子マネーカード、ポイントカード、ショップカード、名刺（ビジネスカード）を収納するための部分および専用の入れ物に関し、カード保持部材の下部の一部を切除した製品。
【請求項２】
カード保持部材が２枚までしか重ならない製品。
【請求項３】
カード保持部材が２枚までしか重ならない状態で、何枚でもカードを保持できる製品。
【発明の詳細な説明】
【技術分野】
【０００１】
クレジットカード、電子マネーカード、ポイントカード、ショップカード、名刺（ビジネスカード）を収納するための部分および専用の入れ物に関し、さらに詳細にはカードの保持部に関する。
【背景技術】
【０００２】
一般に、カードケースの構造は次のとおりとなっている。
１．  カード保持部分は、保持部材（図５参照）の上部（図５参照）下端に、次の保持部材の上部上端を合わせて行くことで複数枚のカードを入れられる構造となっている。
２．  上記保持部材は、それぞれの右端、左端、下端がその下に在する１枚の部材に接合されており、カードが下に抜け落ちないようになっている。
なお、上記２については本発明においても同様であるため、図の煩雑さを避けるために以下の説明においては詳述しないものである。
【０００３】
図４で示した従来品の例では、保持部材１、２、３、４でカード４枚を入れられるセットであり、１、２、３、４を順に重ねたものが「５ 重ねた図」であるが、保持部材が最大で４枚重なってしまっていることが数字の重複から判別される。このため、製品が厚く、かさばるものとなってしまっており、使い勝手や美観を損ねていた。
【発明の概要】
【発明が解決しようとする課題】
【０００４】
本発明はこうした問題を鑑みて、各保持部材の重なりを少なくすることにより、厚みが抑えられ、かさばらないカードケースの製作を目的とする。
【課題を解決するための手段】
【０００５】
本発明はカードケースのカード保持部材の下部（図５参照）の一部を切除し、縦に重ねていっても保持部材が最大で２枚しか重ならないカードケースを可能にするものである（図１参照）。
【発明の効果】
【０００６】
本発明により、財布やクレジットカードケースの厚みを押さえ、かつ軽く作ることができる。
【０００７】
保持部材が２枚までしか重ならない状態で何枚でもカードを保持できるケースが製作できる。
【図面の簡単な説明】
【０００８】
【図１】発明したカードケースの保持部材の例を利用したカードケースの実施例1。
【図２】発明したカードケースの保持部材の例を利用したカードケースの実施例2
【図３】従来のカードケースの例。
【図４】カード保持部の部材の各部名称を今回説明のために便宜的に定めたもの。
【発明を実施するための形態】
【０００９】
次に図面を参照しながら実施例の説明を行う。本発明は以下の実施例に限定されるものではない。
【実施例】
【００１０】
実施例１
図１は、本発明を利用した、２枚しかカード保持部材が重ならないカードケースを表した図である。
本例は、
カード保持部材の下部を切除した保持部材ａ、ｂ、ｃの３種類と、
従来品と同様のカードケースの最下部である保持部材ｄからなるカードケースの保持部である。
保持部材ａは保持部材の下部の中央を残し、両端を切除したものである。
保持部材ｂは保持部材の下部の左部を残し、右端を切除したものである。
保持部材ｃは保持部材の下部の右部を残し、左端を切除したものである。
本部材の使用方法は、次のとおりである。
部材ａの上部下端に部材ｂの上部上端が接するように縦に重ね、次に部材ｂの上部下端に部材ｃの上部上端が接するように縦に重ね、最後に部材ｃの上部下端に部材ｄの上部が接するように縦に重ねる。
部材ａ、ｂ、ｃ、ｄを重ねた図が「ｅ 重ねた図」であり、記号の重複が２つしかないことから、部材の重なりが２枚までであることが判別される。
【００１１】
保持部材ａ、ｂ、ｃ、ｄでカード４枚を保持するカードケースを作成できるが、
保持部材ａ、ｂ、ｃを順に重ねることを繰り返していけば、保持部材が２枚までしか重ならない状態で何枚でもカードを保持できるケースが製作できる。
【００１２】
実施例２
図２はカードを横に２枚入れるタイプの財布やカードケースに用いるために、実施例１の保持部材を横に連結した形で裁断して利用するものである。
カード保持部の底面への接合に関しては、本例では左端、右端、下端に加え、中央も接合されることによりカードが保持される構造となる。
【図１】
2016140631.tif 000003
【図２】
2016140631.tif 000004
【図３】
2016140631.tif 000005
【図４】
2016140631.tif 000006
(57)【要約】      （修正有）【課題】機能的かつ面白みのある構造および該構造を利用したケースを提供する。【解決手段】ヒンジ部分およびヒンジ部分を持ったケース外側が、底面ｂに対して垂直方向に可動することによって内容物が見え隠れし、ヒンジ部分が自立するための補助脚となる構造および該構造による。【選択図】図２
2016140632.tif 000002
【特許請求の範囲】
【請求項１】
ヒンジ部分およびヒンジ部分に接合された部分が、ヒンジ部分を介して、底面に対して垂直方向に可動することにより、内部を隠したり、現したりできる構造および該構造による製品。
【請求項２】
ヒンジ部分が底面に対して垂直に可動することにより、自立するための補助脚としても利用できる構造および該構造による製品。
【請求項３】
ヒンジ部分がケース外側を兼ねた構造および該構造による製品。
【発明の詳細な説明】
【発明の概要】
【発明が解決しようとする課題】
【０００１】
機能的かつ面白みのある構造および該構造によるケースを提供することを目的とする。
【課題を解決するための手段】
【０００２】
本発明は、ヒンジ構造を持ったケース外側部分が製品の底面に対して垂直に可動する構造および該構造による製品である。
また、ヒンジ部分が補助脚となり、製品が自立するものである。
【発明の効果】
【０００３】
内容物が見られるようにした状態においては、ヒンジ部が外側４方向に開き、本体を支える脚部となり、自立するための補助脚となる。
【０００４】
可変前はただの箱に見えるが、上部を下に移動させると中身が出てくるという奇抜さがある。
【図面の簡単な説明】
【０００５】
【図１】本発明を利用した、可変前のペンケースの斜視図である。
【図２】図１の変形後のペンケースの斜視図である。
【図３】図１、２のペンケースの外側部分を展開した斜視図である。
【発明を実施するための形態】
【０００６】
次に図面を参照しながら実施例の説明を行う。本発明は以下の実施例に限定されるものではない。
【実施例】
【０００７】
実施例１
図１は本発明を利用したペンケースであり、ペンケース閉じ部ｆを途中まで開けた状態の斜視図である。
図２は図１のペンケースｅ部を下げ、ペンを取り出せかつ自立するペン立てとなった状態の斜視図である。
図１の状態から図２の状態へ変化する構造である。
以下詳述する。
図１上部のｅ部は部材e１、ｅ２、ｅ３、ｅ４からなり（図３参照）、それぞれの部材の左端、右端が接合されており、筒状となっている（図１、図２）。
ｅ部、ｄ部、ｃ部、底面のｂ部は、それぞれ独立した部材であるが、ケース内側において薄い部材で上下に接合されている（図３参照）。
この構造により、部材自体はそれぞれの形状を保ったまま、それぞれの部材の間を折れ軸として、ペンケース内外に折り曲がることが可能となっている。
ｄ部同士、ｃ部同士の左端、右端は接合されていない（図２参照）。
ケース内側にある筒上のａはペン保持部下部であり、底面ｂに接合されている。
上記構造により、
底面ｂおよびａが動かない状態で、
ヒンジ構造であるｄ部、ｃ部がペンケースの内方向、外方向に動き、
それらを介したｅ部が上下に動くことにより、
ペンを収納した状態（図１参照）と、ペンを取り出す状態であり、かつ自立する状態（図２参照）を可能にするものである。
【産業上の利用可能性】
【０００８】
ペンケース、小物入れ、カバン、飲料立てをはじめとした入れ物全般に応用可能である。
【０００９】
入れ物以外の用途として、内容物が見えない状態から見える状態に変化することで、目を引いたり、驚かせたりするための製品にも利用できる。１例としてＰＯＰ広告があげられる。
【図１】
2016140632.tif 000003
【図２】
2016140632.tif 000004
【図３】
2016140632.tif 000005
(57)【要約】      （修正有）【課題】簡単な構造で、軽量、コンパクトなペットの糞用収容袋の提供。【解決手段】合成樹脂層３を設けた生地２を使用し、開口部の内側の対面に面ファスナー１の凸と凹を取り付け固定し、開口部を容易にしっかりと止め、密閉するようにし、においを外部に漏らさない構造とした。又、持ち手４を取り付けているので、ペットの糞を入れた後、持ち手４を持ちながら面ファスナー１の対向部を重ね合わせられ、簡単に開口部を閉じることができる。【選択図】図２
2016140352.tif 000002
【特許請求の範囲】
【請求項１】
内面に防水性の樹脂層を設けた生地で口の広い袋体をつくり、口の内側の対向部におす及びめすの面ファスナーをそれぞれ取り付けたペット用糞入れケース。
【発明の詳細な説明】
【技術分野】
【０００１】  本発明はペットの散歩の途中でペットにされた糞を手を汚さず簡単にコンパクトに収納できしかも外に臭いが漏れないことを可能にする袋に関する。
【背景技術】
【０００２】  近年ペットを飼う人は増えてきておりペットとの散歩を日課にする人がほとんどだが、その途中でされる糞を自分で処理するのは今やエチケットになっておりそれを入れて帰る袋もいろいろ出ている。例えば、特許文献１のマナー袋を内蔵しているウエストポーチで袋を手に持つ必要のないものや特許文献２の糞取器に袋が装着されているものがある。
【先行技術文献】
【０００３】
【特許文献１】  特開２０１２−２３１７４１
【特許文献２】  特開２０１２−８５６２１
【発明の概要】
【発明が解決しようとする課題】
【０００４】  以上に述べた従来の収納袋は構造が複雑で使いづらく、又収納袋の密閉性が必ずしも十分でない為汚れやすく臭いもシャットアウト出来ず少々不衛生でもあった。
【課題を解決するための手段】
【０００５】  本発明は従来のペットの糞用手提げ袋が持っていた欠点を解決するために考えられたもので口を広くして、入れる糞をもれにくくし気持ち悪い思いをしないで収納できるよう口の全面に面ファスナーを取り付け、口を容易にしっかり止め密閉することによって臭いを外にもらさず樹脂層を設けた生地を使用することによって生地本体の通気性及び水透過性を防止しかつ生地の樹脂部を熱や接着などの物理的化学的方法で漏水防止加工することにより臭いはシャットアウト出来又どんな水分も外からも内からも漏れにくくして衛生的に糞を扱えるものとする収納袋である。
又、本発明の収納袋の内部には市販のチャック付ポリ袋が無理なく入れられ２重、３重の密閉化が可能であり雨の日も衛生的で快適に散歩を楽しむことができる。
さらに、本発明の収納袋は構造が簡単なので軽量、コンパクトでありかつ糞はしっかり密閉されているので収納袋とペットのリード紐を楽に同時に持てる利点がある。
【発明の効果】
【０００６】前述したように従来、ペットの散歩用の糞収納袋は多々あるものの臭いが防げなかったり、コンパクトに素早く収納出来なかったり、雨の日には水が入って不衛生であったりした。このような状況を解決するために本発明は多大な効果をもたらすものである。
【発明を実施するための形態】
【０００７】  以下、本発明の実施の形態を図１、２に基づいて説明する。
【０００８】  図１に於いて、長方形に裁断した合成樹脂層３を設けた生地２を半分に折り、開口部の生地２の内側の対向部に面ファスナー１の凸と凹をそれぞれ取り付け固定し、本体生地２の両端は生地の裏面に設けられた合成樹脂層を密着加工する。
【０００９】図２に於いて袋の上部の口の対向部に取り付けた面ファスナー１を開けた状態になっているが、入り口はペットの糞を無理なく入れることが出来る大きさになっていて面ファスナー１は真ん中辺りを持って無理なく口を大きく開けることが出来、又、ペットの糞を入れた後持ち手４を持ちながら面ファスナー１の対向部を重ね合わせれば簡単に口を密閉することが出来る。
【図面の簡単な説明】
【００１０】
【図１】  本発明の正面図
【図２】  本発明の斜面図
【符号の説明】１．面ファスナー
２．生地
３．合成樹脂コーテイング層
４．持ち手
【図１】
2016140352.tif 000003
【図２】
2016140352.tif 000004
(57)【要約】      （修正有）【課題】従来、ガードレールの支柱の周囲の雑草の除草作業は危険と困難を極めた。ガードレール支柱付近の雑草を生えなくして無草化する。【解決手段】ガードレール支柱の外周下部の部分にスカート状のブッシュとプレートを装着して雑草を生えなくして無草化する。【選択図】なし【特許請求の範囲】
【請求項１】
ガードレール用支柱の下部の外周にスカート状のブッシュを装着する。
【請求項２】
ガードレール用支柱の林立する支柱と支柱の間にプレートを連結し装着する。
【発明の詳細な説明】
【技術分野】
【発明の概要】
【発明が解決しようとする課題】
【０００１】ガードレール用支柱付近の雑草を無草化する。
【課題を解決するための手段】ガードレール用支柱の下部の外周にスカート状のブッシュとプレートを装着する。
【発明の効果】ガードレール用支柱の下部にスカート状のブッシュとプレートを装着する事により従来、接地付近の下部付近の除草作業は、危険と困難を極めたが、この方法で安全確実に無草化する事ができる。
【図面の簡単な説明】
【図１】ガードレール用支柱の下部の外周にスカート状のブッシュとプレートを装着する。
【発明実施するための形態】
ガードレール用支柱の下部の外周にスカート状のブッシュとプレートを装着する。
【実施例】林立するガードレール用支柱とプレートを連結して装着する。
【産業上の利用可能性】電力会社や電話会社の電柱や一般の柵の根元にスカート状のブッシュをはめれば雑草のなくす事が容易にできる。
【手続補正書】
【提出日】平成27年6月23日(2015.6.23)
【手続補正２】
【補正対象書類名】明細書
【補正対象項目名】全文
【補正方法】変更
【補正の内容】
【発明の詳細な説明】
【技術分野】
【発明の概要】
【発明が解決しようとする課題】
【０００１】ガードレール支柱用の付近の雑草を無草化する。
【課題を解決するための手段】ガードレール支柱用の下部の外周にスカート状のブッシュとプレートを装着する。
【発明の効果】ガードレール用支柱の下部にスカート状のブッシュとプレートを装着する事により従来接地付近の除草作業は、危険と困難を極めたが、この方法で安全確実に無草化する事ができる。
【発明実施するための形態】
ガードレール用支柱の下部の外周にスカート状のブッシュとプレートを装着する。
【実施例】林立するガードレール用支柱とプレートを連結して装着する。
【産業上の利用可能性】電力会社や電話会社の電柱や一般の柵の根元にスカート状のブッシュをはめれば雑草をなくす事ができる。
(57)【要約】【課題】本発明は、筆記具を用意したり、カレンダーの画面の美しさを損なったりすることなく、今日が何日であるか一目でわかるようにするため、日にち数字を、はがせる、数字形シールもしくは日にち数字を記したシールを貼りつけて作ったカレンダーを提供する。【解決手段】カレンダーの日にち数字に、容易に美しくはがせるように、容易にはがせる接着剤（たとえば付箋に使用するのりなど）を塗布した数字形シールもしくは日にち数字を記したシールをカレンダーの日にち数字として使用したことを特徴とする。【選択図】図１
2016199024.tif 000002
【特許請求の範囲】
【請求項１】
画面にはがせる数字形シールもしくは数字を記したシールを貼りつけたカレンダー。
【発明の詳細な説明】
【技術分野】
【０００１】本発明は、今日が何日かわかりやすくするために、終わった日にちをはがせるようにした月めくりもしくは年間カレンダーに関するものである。
【背景技術】
【０００２】従来、月めくりもしくは年間カレンダーは、今日が何日であるか一目でわかるようにするには、筆記具で終わった日にちを×印で消すなどの作業が必要であった。
【先行技術文献】
【特許文献】
【０００３】
【特許文献１】
【発明の概要】
【発明が解決しようとする課題】
【０００４】これは次のような欠点があった。
（イ）カレンダーに印をつけるための筆記具を常に用意しておかなければならない。
（ロ）印をつけることによってカレンダーの画面が美しくなくなる。
【課題を解決するための手段】
【０００５】カレンダーの日にち数字をはがせるシールにする、もしくははがせるシールに日にち数字を記したものをカレンダーの画面に貼りつける。
【発明の効果】
【０００６】（イ）一日が終わるごとに、シールになっている日にち数字もしくは日にち数字を記したシールをはがしていけばよいので、筆記具を用意しておく必要が無い。
（ロ）カレンダーの画面の美しさを損なわずに、今日が何日であるか一目でわかるようにすることができる。
【図面の簡単な説明】
【０００７】
【図１】
【発明を実施するための形態】
【０００８】以下、発明を実施するための形態について説明する。
カレンダーの日にち数字を記する画面に、裏面にはがすのが容易な接着剤（たとえば付箋に使われているのりなど）を塗布した日にち数字形のシールもしくは日にち数字を記したシールを貼りつける。
【符号の説明】
【０００９】  １  カレンダー画面１
２  カレンダー画面２
３  数字形シール
４  日にち数字を記したシール
【図１】
2016199024.tif 000003
【手続補正書】
【提出日】平成27年6月10日(2015.6.10)
【手続補正１】
【補正対象書類名】明細書
【補正対象項目名】０００７
【補正方法】変更
【補正の内容】
【０００７】
【図１】図１は、日にち数字をはがせるカレンダーに関する図面である。番号  １：日にち数字形シールを用いたカレンダーの画面  ２：日にち数字を印刷したシールを用いたカレンダーの画面  ３：日にち数字をシールにしたもの（日にち数字形シール）  ４：日にち数字をシールに印刷したもの
(57)【要約】【課題】制駆動が適時に自動化される車輌に於いて、制駆動の自動制御中に運転者が、上体を正し、ステアリングホイールを正しく掴み、前方を監視する姿勢を保ったまま、足をアクセルペダルやブレーキペダルの操作位置から後退させると、膝部が座席より浮き上がり、運転者のシート部に対する最適着座状態が乱されることに対処し、運転者のシート部に対する着座状態を最適状態に維持する。【解決手段】制駆動が自動化されている間、シート部はその後縁の周りにその前縁を上昇させるよう傾動される。【選択図】図２
2016199125.tif 000002
【特許請求の範囲】
【請求項１】
制駆動が適時に自動化される車輌の運転席にして、制駆動が自動化されている間、シート部がその後縁の周りにその前縁を上昇させるよう傾動されるようになっていることを特徴とする運転席。
【発明の詳細な説明】
【技術分野】
【０００１】
本発明は、車輌の運転者が着座する運転席に係り、特に、適時に車輌の制駆動をコンピュータにより自動的に制御して運転者をアクセルペダルやブレーキペダルの操作から解放する自動運転が実行される車輌の運転席に係る。
【背景技術】
【０００２】
運転に適時コンピュータによる自動化を取り入れた車輌に於いて、自動運転中には運転者が後方に仰け反ったリラックス姿勢をとることができるよう、自動／手動走行切換えスイッチが自動走行モードに切り換えられたとき、運転席のシートバックを後方へ大きく傾いたリクライニング角度に傾動させることが、下記の特許文献１に記載されている。
【先行技術文献】
【特許文献】
【０００３】
【特許文献１】ＷＯ２０１５／０１１８６６号公報
【発明の概要】
【発明が解決しようとする課題】
【０００４】
アクセルペダルやブレーキペダルの操作を適時に自動化することは、ＡＣＣ（Adaptive Cruise Control）や自動制動システムとして既に実施されているが、車輌の運転を制駆動および操舵を含めてコンピュータにより全面的に自動化することも種々試みられている。車輌の運転の自動化については、究極の目標は制駆動および操舵を含めた全自動運転であるかもしれないが、操舵を自動化するための道路インフラの構築には多大の時間と費用を要し、それでも尚、道路状況には何時如何なる緊急事態も生じ得るので、車輌の運転の自動化は、先ず速度制限や交通状況に応じてアクセルペダルやブレーキペダルの操作を適時に自動化することであり、運転者に求められる、上体を正し、ステアリングホイールを正しく掴み、前方を監視する運転姿勢は、当分今のまま変らないと思われる。その場合、運転者が、上体を正し、ステアリングホイールを正しく掴み、前方を監視する姿勢を保ったまま、足をアクセルペダルやブレーキペダルの操作位置から後退させると、膝部が座席より浮き上がり、運転者の運転席シート部に対する最適着座状態が乱される。
【０００５】
本発明は、上記の事情に着目し、運転者が上体を正し、ステアリングホイールを正しく掴み、前方を監視する姿勢を保って足をアクセルペダルやブレーキペダルの操作位置から後退させたときにも、運転者の運転席シート部に対する着座状態を最適状態に維持する運転席を提供することを課題としている。
【課題を解決するための手段】
【０００６】
上記の課題を解決すべく、本発明は、制駆動が適時に自動化される車輌の運転席にして、制駆動が自動化されている間、シート部がその後縁の周りにその前縁を上昇させるよう傾動されるようになっていることを特徴とする運転席を提案するものである。
【発明の効果】
【０００７】
上記の如く、制駆動が適時に自動化される車輌に於いて、制駆動が自動化されている間、運転席のシート部がその後縁の周りにその前縁を上昇させるよう傾動されるようになっていれば、制駆動が自動化されることによって運転者がアクセルペダルやブレーキペダルを操作する必要がなくなり、運転者が上体を正し、ステアリングホイールを正しく掴み、前方を監視する姿勢を保って、足をアクセルペダルやブレーキペダルより後退させるとき、運転者の脚の上半部が骨盤に於ける上関節の周りに膝部を上昇させるように傾動することに合わせて、運転席のシート部がその後縁の周りにその前縁を上昇させるよう傾動されるので、運転者のシート部への着座感覚は、足でアクセルペダルやブレーキペダルを操作する手動運転時と、制駆動が自動化されアクセルペダルやブレーキペダルより足を後退させる自動運転時とで、同じに維持される。
【図面の簡単な説明】
【０００８】
【図１】本発明による運転席を通常の手動運転状態にて例示する側面図である。
【図２】本発明による運転席を制駆動が自動化された運転状態にて例示する側面図である。
【発明を実施するための形態】
【０００９】
図１および図２に於いて、１は車輌の運転席のシート部であり、２はそのシートバックである。シート部１は、図には示されていないがこの技術分野に於いては種々の構造にて周知の可変駆動手段により、図１に示す位置と、それよりその後縁の周りにその前縁を上昇させるよう傾動された図２に示す位置の間に変位されるようになっている。３はアクセルペダル、４はブレーキペダル、５はステアリングホイールである。
【００１０】
車輌が運転席に着座した運転者の足によるアクセルペダル１やブレーキペダル２の操作に応じて運行される通常の手動運転状態にあるときには、シート部１は図１に示された位置に保持されている。これに対し、車輌が適時に制駆動をコンピュータにより自動的に制御する自動運転状態に切り換えられると、それに連動してシート部１は図２に示す位置に傾動され、自動運転中、その位置に保持される。図２に於いて、仮想線は図１におけるシート部１の位置を示す。そして自動運転が解除されると、それに連動してシート部１は図１に示す位置に戻される。
【００１１】
以上に於いては本発明を一つの実施例について詳細に説明したが、かかる実施例について本発明の範囲内にて種々の変更が可能であることは当業者にとって明らかであろう。
【符号の説明】
【００１２】
１…運転席のシート部、２…運転席のシートバック、３…アクセルペダル、４…ブレーキペダル、５…ステアリングホイール
【図１】
2016199125.tif 000003
【図２】
2016199125.tif 000004
(57)【要約】【課題】貯蔵物同士が貯蔵中に接着して大きなブロックを形成することを防止できる貯蔵タンクを提供する。【解決手段】貯蔵タンク１０は、タンク１内の貯蔵物（樹脂混和物ペレット２０）を下方から上方に向けて搬送する搬送装置（スクリューコンベア２及び駆動装置３）を備える。【選択図】図１
2016199295.tif 000002
【特許請求の範囲】
【請求項１】
タンク内の貯蔵物を下方から上方に向けて搬送する搬送装置を備えた貯蔵タンク。
【請求項２】
前記搬送装置は、スクリューコンベアを有する請求項１に記載の貯蔵タンク。
【請求項３】
前記スクリューコンベアは、前記貯蔵タンクの中央部に鉛直に設けられている請求項２に記載の貯蔵タンク。
【請求項４】
前記貯蔵タンクは、下部にホッパー形状の部位を有しており、当該部位の先端部分に前記貯蔵物の排出口を有する請求項１〜３のいずれか１項に記載の貯蔵タンク。
【請求項５】
前記貯蔵物は、樹脂混和物からなるペレットである請求項１〜４のいずれか１項に記載の貯蔵タンク。
【請求項６】
前記ペレットは、電線被覆材である請求項５に記載の貯蔵タンク。
【請求項７】
前記樹脂混和物は、ポリオレフィン樹脂混和物である請求項５又は請求項６に記載の貯蔵タンク。
【発明の詳細な説明】
【技術分野】
【０００１】
本発明は、貯蔵タンクに関し、特に貯蔵物同士が接着して大きなブロックを形成することを防止する機能を備えた貯蔵タンクに関する。
【背景技術】
【０００２】
粉粒体を滞りなく安定して搬送できる粉粒体搬送装置が知られている（特許文献１及び２参照）。当該搬送装置において、粉粒体が貯留されるホッパーには、粉粒体が詰まることなく排出口から排出できるように排出方向へ粉粒体を搬送するスクリューコンベアが設けられている。
【０００３】
一方、従来から、熱可塑性成形用樹脂の取り扱いを簡便にするため、原料樹脂に酸化防止剤、着色剤、安定剤、滑剤等の各種配合剤を混練した混和物をペレット状に造粒成形して用いている。
【０００４】
このような樹脂混和物からなるペレットは、一般的に大量生産され、大容量の貯蔵タンクに一時的に保管され、都度、必要量が排出され、出荷されている。
【先行技術文献】
【特許文献】
【０００５】
【特許文献１】特開２００５−８１６５号公報
【特許文献２】特許４４２７４３２号公報
【発明の概要】
【発明が解決しようとする課題】
【０００６】
しかしながら、ペレット同士が接着し易い樹脂混和物の場合には、貯蔵したペレットの重みによって多数のペレットが貯蔵中に接着し合い、貯蔵タンク内で大きなブロックを形成する場合がある。貯蔵タンク内で大きなブロックを形成すると、貯蔵しているペレットを排出する時に排出口が詰まり、ペレットの排出が困難となる。
【０００７】
そこで、本発明の目的は、貯蔵物同士が貯蔵中に接着して大きなブロックを形成することを防止できる貯蔵タンクを提供することにある。
【課題を解決するための手段】
【０００８】
本発明は、上記目的を達成するために、下記の貯蔵タンクを提供する。
【０００９】
［１］タンク内の貯蔵物を下方から上方に向けて搬送する搬送装置を備えた貯蔵タンク。
［２］前記搬送装置は、スクリューコンベアを有する上記［１］に記載の貯蔵タンク。
［３］前記スクリューコンベアは、前記貯蔵タンクの中央部に鉛直に設けられている上記［２］に記載の貯蔵タンク。
［４］前記貯蔵タンクは、下部にホッパー形状の部位を有しており、当該部位の先端部分に前記貯蔵物の排出口を有する上記［１］〜［３］のいずれか１つに記載の貯蔵タンク。
［５］前記貯蔵物は、樹脂混和物からなるペレットである上記［１］〜［４］のいずれか１つに記載の貯蔵タンク。
［６］前記ペレットは、電線被覆材である上記［５］に記載の貯蔵タンク。
［７］前記樹脂混和物は、ポリオレフィン樹脂混和物である上記［５］又は［６］に記載の貯蔵タンク。
【発明の効果】
【００１０】
本発明によれば、貯蔵物同士が貯蔵中に接着して大きなブロックを形成することを防止できる貯蔵タンクを提供することができる。
【図面の簡単な説明】
【００１１】
【図１】本発明の実施の形態に係る貯蔵タンクの使用時の状態を示す概略断面図である。
【発明を実施するための形態】
【００１２】
図１は、本発明の実施の形態に係る貯蔵タンクの使用時の状態を示す概略断面図である。以下、図１を参照して本発明の実施の形態に係る貯蔵タンクを説明する。
【００１３】
本発明の実施の形態に係る貯蔵タンク１０は、タンク１内の貯蔵物（樹脂混和物ペレット２０）を下方から上方に向けて搬送する搬送装置（スクリューコンベア２及び駆動装置３）を備える。
【００１４】
タンク１は、側壁の上部又は上壁に、図示していない貯蔵物搬入口を有する。また、タンク１の下部は、ホッパー形状（逆三角形状、漏斗形状）であり、その先端に貯蔵物が排出される排出口４が形成されている。貯蔵（保管）中は、排出口４は排出弁５により塞がれており、貯蔵物が排出されないようにされている。
【００１５】
タンク１内に貯蔵される貯蔵物としては、特に限定されるものではないが、樹脂混和物からなるペレット（樹脂混和物ペレット２０）などの接着し易い材料からなるペレット等が特に好適である。
【００１６】
樹脂混和物ペレット２０は、例えば、電線被覆材用のペレットである。また、樹脂混和物は、例えば、ポリオレフィン樹脂混和物である。
【００１７】
貯蔵物は、上記の樹脂混和物ペレットに限られず、パウダー状の樹脂混和物や、樹脂混和物の原料である、ペレット状もしくはパウダー状の樹脂、難燃剤、充填剤、安定剤、酸化防止剤などであってもよい。
【００１８】
搬送装置は、樹脂混和物ペレット２０をタンク１の下方から上方に向けて搬送できる装置であればよく、例えば、図１に示すスクリューコンベア２と、スクリューコンベア２を駆動する駆動装置３とから構成される。樹脂混和物ペレット２０を効率よく下方から上方に向けて搬送することが可能となる点で、スクリューコンベア２を用いることが好ましい。
【００１９】
スクリューコンベア２は、例えば、図１に示すように、貯蔵タンク１０の中央部に鉛直に設けられる。
【００２０】
また、スクリューコンベア２は、単軸に限らず、多軸のスクリューコンベアを用いることもできる。
【００２１】
スクリューコンベア２を駆動させると、タンク１内部の下方にある樹脂混和物ペレット２０が上方へ搬送されることで生じる空隙に周囲の樹脂混和物ペレット２０が自重により移動し、タンク１内の樹脂混和物ペレット２０全体が流動することでペレット同士が接着し合って出来るブロックの形成を防止できる。これにより、樹脂混和物ペレット２０をタンク１内に貯蔵しても、ブロックを形成することなく、長時間、タンク１内で保管することが出来る。
【００２２】
なお、本発明は、上記実施の形態に限定されず種々に変形実施が可能である。
【符号の説明】
【００２３】
１：タンク、２：スクリューコンベア、３：駆動装置、４：排出口、５：排出弁
１０：貯蔵タンク、２０：樹脂混和物ペレット
【図１】
2016199295.tif 000003
(57)【要約】【課題】本発明は車のローリングを起こす欠点を機械的方法に依り除去するのが課題である【解決手段】ホイルとホイルを連結するシャフトケースに、垂直で直進方向に並行な上下に長い長方形の滑動版を強固に設置し、更にシャシーにこの滑動版に接触滑動する第二の滑動版を強固に設置する。更にこの一組の滑動版装置を垂直線を中心に１８０度回転させた装置を同一ホイル連結シャフトケースとシャシーにの反対位置に、強固に取り付ける。この様な装置を設置すれば、シャーシとホイル連結シャフトケースは滑動版が滑動する方向には滑動できるが，それ以外の方向は移動が出来なくなる。即ちシャシーはピッチングは出来るがローリングは出来なくなる。本発明では以上の手段を用いて課題を解決した。【選択図】図１
2016199246.tif 000002
【特許請求の範囲】
【請求項１】
ホイル連結シャフトに垂直で、直進方向に並行ななロウリング防止用滑動面を有する２個の滑動版を夫々ホイル連結シャフトケースとシャシーに蜜接滑動する様取り付けると共に、更に同様の２個の滑動版を垂直線を中心に１８０度回転させた状態で、夫々ホイル連結シャフトケースとシャシーにロウリング防止用滑動面が密接滑動する様取り付けた事を特徴とする車輌のローリング防止方法とその装置
【請求項２】
請求項１に記載した装置を複数個同一車に設置した事を特徴とする車輌のローリング防止方法とその装置
【請求項３】
ホイル連結シャフトケース或いはシャシーを有しない車輛については、ホイルに連結した部分，及びしゃしーに相当する物体に夫々第１項記載のロウリング防止用滑動面を有する２個の滑動版を設置した事を特徴とする車輌のローリング防止方法とその装置
【発明の詳細な説明】
【技術分野】
【０００１】本発明は自動車及びトレーラー等のローリング防止方法とその装置に関する
【背景技術】
【０００２】
【先行技術文献】
【発明の概要】
【発明が解決しようとする課題】
【０００３】現在の車はホイル部分と車の本体はバネにより連結支持されている。従って、カーブを曲がる際には遠心力に依りバネが変形し車は外側へ傾斜する。即ちローリングを起こし最悪の場合は転倒する欠点がある。本発明ではこのローリングを起こすバネの欠点を機械的方法に依り除去し、カーブを曲がる際のローリングを防止するのが課題である。
【課題を解決するため手段】
【０００４】ホイルとホイルを連結するシャフトケースに、垂直で直進方向に並行な上下に長い長方形の滑動版を強固に設置し、更にシャシーにこの滑動版に接触滑動する第二の滑動版を強固に設置する。
更にこの一組の滑動版装置を１８０度垂直線を軸に回転させた装置を同一ホイル連結シャフトケースの反対位置に，前記と同様にシャフトケース及び反対側のシャーシーに強固に取り付ける。
この様な装置を設置すれば、シャーシとホイル連結シャフトケースは滑動版が滑動する方向には滑動できるが，それ以外の方向は移動が出来なくなる。即ちシャシーはピッチングは出来るがローリングは出来なくなる。本発明では以上の手段を用いて課題を解決した。
【発明の効果】
【０００５】この様なローリング防止装置を施せば、車輌はローリングが出来なくなりローリングによる転倒事故が減少する効果がある。
【図面の簡単な説明】
【０００６】
【図１】後方からの側面図
【図２】一組の滑動版取り付けの鳥瞰図とその分解図
【発明を実施するための形態】
【０００７】
【実施例】
【０００８】次に実施例を示す図１、図２を用いて本発明の実施の形態を作用と共に説明をする。図１に於いて、１ａ及び１ｂはシャーシであり、３ａ，３ｂはホイル連結シャフトカバーに直進方向に並行でホイル連結シャフトカバーに垂直に取り付けた長方形の滑動版である。２ａ，２ｂはこの滑動版に接触滑動する様シャーシに強固に取り付けた長方形の滑動版である。この様な構造にすればホイル連結シャフトカバーに取り付けた滑動版３ａ，３ｂはシャシーに取り付けた滑動版２ａ，２ｂに挟持されシャシーはピッチングは出来るがローリングは出来なくなる。
次にこの実施例を図２の鳥瞰図と分解図を用いて詳述する。両図に於いて１ａはシャシー、２ａはシャシーに取り付けた滑動版支持版、３ａはシャシーに設置した滑動版、４ａはホイル連結シャフトカバーに設置した滑動版、６は滑動版取り付けの為の台版でありこの上に滑動版支持具５ａを設置しこれに滑動版４ａをとりつける。７ａはデファレンシアルギヤーボックスである。この様な装置をホイル連結シャフトカバーの反対側に対象に設置すれば、シャシーはピッチングは出来るがローリングは出来なくなる。
【符号の説明】
【０００９】図１及び図２で、１ａ，１ｂはシャシーであり、２ａ，２ｂはシャシーに取り付けた滑動支持版、３ａ，３ｂはシャシーに取り付けた滑動版、４ａ４ｂはホイル連結シャフトカバーに取り付けた滑動版、５ａはホイル連結シャフトカバーに設置した滑動版支持版、６は滑動版取り付けの為の台版であり，７はデファレンシアルギヤーボックスである．
【図１】
2016199246.tif 000003
【図２】
2016199246.tif 000004